(57)【要約】【課題】対照結果の証拠を確実に残せて、作業完了記録の管理等が確実に行える心線対照装置を提供する。【解決手段】電話局内に設置した装置本体２と、作業現場において対照回線９を構成する２本の心線Ｌ１，Ｌ２にクランプされる対照信号受信器１０で構成され、装置本体２内より対照回線９に対照信号を送信し、対照信号受信器１０で対照信号を検出した場合に、対照信号受信器１０内のトーン発生器１３よりトーン信号を打合せ回線１４を介して装置本体２に送信し、装置本体２内ではトーン信号をＣＰＵ３ａで受けて対照結果を記憶手段３ｃ，３ｄに保存する。【選択図】図１
0003176781.tif 000002
【実用新案登録請求の範囲】
【請求項１】
電話局外の作業現場において心線対照を行う際に用いられる心線対照装置であって、
該心線対照装置は、
電話局内に設置された装置本体と、前記作業現場において対照されるべき対照回線を構成する２本の心線にクランプされる対照信号受信器で構成され、
前記装置本体内の信号送信手段より前記対照回線に対照信号を送信し、前記対照信号受信器で前記対照信号を検出した場合に該対照信号受信器内のトーン発生器よりトーン信号を打合せ回線を介して前記装置本体に送信し、該装置本体内では前記トーン信号を検出して前記対照回線の対照結果を内部の記憶手段に保存できるように構成した心線対照装置。
【請求項２】
前記装置本体内の信号送信手段より前記対照回線へ送信される対照信号は２２０Ｈｚ信号である
請求項１に記載の心線対照装置。
【請求項３】
前記装置本体内には、ＣＰＵと記憶手段で構成される制御部が備えられ、
該制御部では、
記憶手段に記憶されている線番データ，電話番号のデータベースから前記対照回線を選択し、該対照回線に前記対照信号を送信するとともに、
前記トーン信号を検出して、前記選択した線番データ，電話番号のデータとともに対照回線の対照結果を保存する
請求項１または請求項２に記載の心線対照装置。
【考案の詳細な説明】
【技術分野】
【０００１】
本考案は、電話局外の作業現場において心線対照を行う際に用いられる心線対照装置に関するものである。
【背景技術】
【０００２】
従来、この種の心線対照装置として、特許文献１に開示されているようなものが存在する。
即ち、電話のサービスオーダー工事や故障修理で電話回線の心線を切り替える時には、新しい回線を取得するために電柱上において心線対照を行う必要があり、特許文献１に開示されているものでは、電話局外の作業者と電話局内の作業者とが通話を行うことにより心線対照の確認を行う。
【先行技術文献】
【特許文献】
【０００３】
【特許文献１】特許第２６１２０２８号公報
【考案の概要】
【考案が解決しようとする課題】
【０００４】
上記特許文献１に開示されている心線対照作業では、対照回線の対照結果を記録として確実に残すことができず、作業記録の管理等がし難いという問題点があった。
【課題を解決するための手段】
【０００５】
本考案は、対照回線の対照結果を記録として確実に残すことができ、作業記録の管理が確実に行える心線対照装置の提供を目的とし、この目的の少なくとも一部を達成するために以下の手段を採った。
本考案は、電話局外の作業現場において心線対照を行う際に用いられる心線対照装置であって、
該心線対照装置は、
電話局内に設置された装置本体と、前記作業現場において対照されるべき対照回線を構成する２本の心線にクランプされる対照信号受信器で構成され、
前記装置本体内の信号送信手段より前記対照回線に対照信号を送信し、前記対照信号受信器で前記対照信号を検出した場合に該対照信号受信器内のトーン発生器よりトーン信号を打合せ回線を介して前記装置本体に送信し、該装置本体内では前記トーン信号を検出して前記対照回線の対照結果を内部の記憶手段に保存できるように構成したことを要旨とする。
【考案の効果】
【０００６】
本考案の心線対照装置では、電話局内に設置された装置本体より対照回線に対し対照信号を送信し、作業現場において対照信号受信器で対照信号を検出した場合に、対照信号受信器内のトーン発生器よりトーン信号を打合せ回線を利用して装置本体に送信し、装置本体内ではトーン信号を検出して対照結果を装置本体内の記憶手段に保存することができ、対照結果を証拠として確実に残すことができ、対照作業の記録の管理等を確実に行えるものとなる。
【０００７】
また、本考案の心線対照装置において、前記装置本体内の信号送信手段より前記対照回線へ送信される対照信号は２２０Ｈｚ信号とすることもできる。
こうすれば、対照されるべき対照回線を構成する２本の心線に２２０Ｈｚの対照信号を送信し、対照回線にクランプした２２０Ｈｚ信号を検出できる対照信号受信器で受信することで、現場において対照作業を確実に行えるものとなる。
【０００８】
また、本考案の心線対照装置において、前記装置本体内には、ＣＰＵと記憶手段で構成される制御部が備えられ、
該制御部では、
記憶手段に記憶されている線番データ，電話番号のデータベースから前記対照回線を選択し、該対照回線に前記対照信号を送信するとともに、
前記トーン信号を検出して、前記選択した線番データ，電話番号のデータとともに対照回線の対照結果を保存する構成とすることもできる。
こうすれば、装置本体内の制御部を構成するＣＰＵから、対照されるべき対照回線に向かって確実に対照信号を送信することができ、また、制御部では対照信号受信器側からのトーン信号を受信して、制御部を構成する記憶手段内に、線番データ，電話番号データとともに対照結果を確実に保存することができ、対照作業を完了したことを確実に証拠として残すことができる。
【図面の簡単な説明】
【０００９】
【図１】心線対照装置の概略構成図である。
【考案を実施するための形態】
【００１０】
次に、本考案を実施するための形態を実施例を用いて説明する。
図１は、心線対照装置の概略構成図である。
心線対照装置１は、電話局内に設置される装置本体２と、作業現場である電柱に設けられた接続端子函８内の対照回線９にクランプして用いる対照信号受信器１０で構成されている。
【００１１】
電話局内の装置本体２内には制御部３が設けられており、この制御部３は、ＣＰＵ３ａを主体としてＬＣＤ３ｂ，ＲＡＭ３ｃ，ＵＳＢメモリ３ｄを備えたコンピュータで構成されている。
この制御部３のＲＡＭ３ｃまたはＵＳＢメモリ３ｄには、線番データ，電話番号のデータベース等が予め記憶されている。
ＣＰＵ３ａは、対照信号である２２０Ｈｚ信号を発生させることができるものであり、ＣＰＵ３ａには信号増幅器４が接続されており、信号増幅器４の下流側には切り替え用のスイッチ５が設けられている。
また、ＣＰＵ３ａには、装置本体２内の加入者回路６に接続されたトーン検出回路７が接続されており、トーン検出回路７からのトーン検出信号がＣＰＵ３ａに入力されるように構成されている。
【００１２】
対照回線９を構成する２本の心線Ｌ１，Ｌ２に対しクランプされる対照信号受信器１０は、心線Ｌ１，Ｌ２に直接クランプされるアンテナ部１１を有し、このアンテナ部１１には検出回路１２が接続されており、検出回路１２にはトーン発生器１３が接続されている。
このトーン発生器１３には、ＬＥＤを点灯させて表示するＬＥＤ表示部１３ａが設けられている。
このトーン発生器１３は、装置本体２内の加入者回路６に接続された打合せ回線１４に接続されている。
なお、前記装置本体２のＵＳＢメモリ３ｄにはパソコン１５を接続して、パソコン１５内にデータを取り込み、対照結果をパソコン１５を介して紙出力することができるように構成されている。
【００１３】
このような心線対照装置１を用いて心線対照を行う際には、装置本体２より対照回線９の心線Ｌ１またはＬ２に２２０Ｈｚの対照信号を送信し、接続端子函８内の対照回線９にクランプした対照信号受信器１０で対照信号を受信することで、対照回線９の心線Ｌ１およびＬ２の対照を行い、対照が完了した場合には、対照信号受信器１０は打合せ回線１４を使用して装置本体２にトーン信号を送信し、トーン検出回路７からのトーン検出信号がＣＰＵ３ａに入力されると、対照結果をＲＡＭ３ｃまたはＵＳＢメモリ３ｄに保存することができるものである。
【００１４】
即ち、従来においては、対照回線９に作業者が対照信号受信器を当てて、対照信号受信器に設けられているＬＥＤランプで受信を確認し、これを口頭で電話局内の作業員に伝えていたため、対照結果を証拠として確実に残すことができないものであったが、本考案の心線対照装置１を用いれば装置本体２内に確実に対照結果を保存することができ、作業記録の管理等を確実に行うことができるものである。
【００１５】
以下には、更に詳しく心線対照装置１の機能について説明する。
電話局内に設置されている装置本体２内の制御部３を構成するＣＰＵ３ａは、ＲＡＭ３ｃまたはＵＳＢメモリ３ｄ内に予め記憶されている線番データ，電話番号のデータベースから対照回線９のデータを選択し、対照回線９に対して、ＣＰＵ３ａで発生させた２２０Ｈｚの対照信号を送信する。
対照信号は信号増幅器４で増幅され、切替スイッチ５を介して、先ず心線Ｌ１に対照信号が送信される。
作業者は対照信号受信器１０のアンテナ部１１を、電柱の接続端子函８内の対照回線９の心線Ｌ１，Ｌ２にクランプさせ、アンテナ部１１で静電結合により２２０Ｈｚ信号を受信すると、検出回路１２で信号を検出する。
【００１６】
即ち、検出回路１２で検出した信号のレベルが一定以上であった場合は、対照回線９に２２０Ｈｚの対照信号が送信されたと判断して、トーン発生器１３より特定周波数のトーン信号を発生させ、このトーン信号を打合せ回線１４に重畳する。この時、トーン発生器１３に設けられているＬＥＤ表示器１３ａが点灯して、作業者は心線Ｌ１の対照完了を確認することができる。
【００１７】
なお、装置本体２は、内部の加入者回路６と接続端子函８側の作業者との間に打合せ回線１４を持っており、この打合せ回線１４から受信したトーン信号をトーン検出回路７に送り、トーン検出回路７はトーン信号が対照信号受信器１０からの対照結果であると判断した場合にＣＰＵ３ａに通知し、これによりＣＰＵ３ａは、既に選択した線番データ，電話番号のデータに対照結果を加えて、例えばＵＳＢメモリ３ｄに保存する。
このＵＳＢメモリ３ｄにパソコン１５を接続しておけば、ＵＳＢメモリ３ｄに保存されている線番データ，電話番号のデータと対照結果をパソコン１５に取り込んで、印刷出力し、所定の様式の紙データとして取り出すこともできる。
【００１８】
なお、ＣＰＵ３ａがトーン検出回路７から対照結果の通知を受けると、ＣＰＵ３ａは２２０Ｈｚの対照信号の発生を停止させるが、心線Ｌ１についての対照結果であった場合には、ＣＰＵ３ａからの信号により切替スイッチ５を自動で切り替えて、心線Ｌ２側へ対照信号を送出して心線Ｌ２の対照を行う。
心線Ｌ１と心線Ｌ２の心線対照が完了した時点で、ＣＰＵ３ａは対照信号の出力を停止させ、対照結果をＲＡＭ３ｃまたはＵＳＢメモリ３ｄに保存するのである。
なお、この時には、対照信号受信器１０側のトーン発生器１３のＬＥＤ表示部１３ａの表示により、作業者は心線Ｌ１と心線Ｌ２の両方の対照が完了したことを知ることができるため、アンテナ部１１を対照回線９から外して作業を完了する。
なお、ＵＳＢメモリ３ｄ内には線番，電話番号および対照結果のデータの他に、日付けや作業者名等を保存しておくこともできる。
【符号の説明】
【００１９】
１  心線対照装置
２  装置本体
３  制御部
３ａ  ＣＰＵ
３ｃ  ＲＡＭ
３ｄ  ＵＳＢメモリ
４  信号増幅器
５  切替スイッチ
６  加入者回路
７  トーン検出回路
８  接続端子函
９  対照回線
１０  対照信号受信器
１１  アンテナ部
１２  検出回路
１３  トーン発生器
１３ａ  ＬＥＤ表示部
１４  打合せ回線
１５  パソコン
Ｌ１，Ｌ２  心線
【図１】
0003176781.tif 000003